(57)【特許請求の範囲】
【請求項１】
グループ通話に参加可能な移動局であって、
前記グループ通話に参加する移動局に対して通話データを送信する権限である送信権が割り当てられていない場合に、マイクによって収音される音を録音メッセージとして記憶する記憶部と、
前記グループ通話から離脱する指示を取得した後に、前記送信権の割当て要求を送信する送信部と、を備え、
前記送信部は、前記送信権の割当て要求に応じて前記送信権が割り当てられた場合に、前記記憶部に記憶された前記録音メッセージを前記グループ通話に参加する移動局に対して送信することを特徴とする移動局。
【請求項２】
前記記憶部に符号化して記憶された前記録音メッセージを復号する再生部をさらに備え、
前記送信部は、前記再生部によって復号された前記録音メッセージを送信することを特徴とする請求項１に記載の移動局。
【発明の詳細な説明】
【技術分野】
【０００１】
本発明は、複数の移動局を含むグループ内で通話データが送受信され、通話データを送信する権限である送信権がグループ内に含まれる移動局に割り当てられるグループ通話に参加可能な移動局に関する。
【背景技術】
【０００２】
従来、複数の移動局を含むグループ内で音声信号などの通話データが送受信されるグループ通話（例えば、ＰＴＴ；Ｐｕｓｈ−Ｔｏ−Ｔａｌｋ）が一般的に広く知られている。
【０００３】
このようなグループ通話では、音声信号などの通話データを送信する権限（以下、送信権）がグループに含まれる一の移動局に割り当てられ、グループに含まれる他の移動局は、送信権を有する一の移動局によって送信される通話データを受信する。
【０００４】
なお、通話データを送信可能な時間をユーザに対して十分に与え、かつ、通話データを送信する機会を各ユーザに平等に配分するという観点から、上述したグループ通話では、送信権が有効化される時間は、発言制限時間（例えば、３０秒）内に限られている。
【０００５】
また、グループ通話が行われる通信システムは、例えば、ＳＩＰ（Ｓｅｓｓｉｏｎ  Ｉｎｉｔｉａｔｉｏｎ  Ｐｒｏｔｏｃｏｌ）が用いられるパケット交換ＮＷ（ネットワーク）によって構成されており、グループ通話サーバによって管理される（例えば、非特許文献１）。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【０００６】
しかしながら、移動局（ユーザ）がグループ通話から離脱しようとする際に、グループに含まれる他の移動局に対してグループ通話から離脱する旨などの発言（メッセージ）を送信しようとする場合には、当該ユーザは、自局に送信権が割り当てられるまで待たなければならない。
【０００７】
具体的には、ユーザは、他のユーザに割り当てられた送信権について発言制限時間が経過するまで待たなければならない。また、ユーザは、発言制限時間が経過しても、さらに他のユーザに送信権が割り当てられた場合には、さらに待たなければならない。
【０００８】
一方で、グループ通話を行っている最中に、ユーザが電車に乗車する場合や会議を開始するような場合には、移動局（ユーザ）はグループ通話からすぐに離脱したい。このような場合に、自局に送信権が割り当てられるまで待たなければならないので、ユーザの利便性が低下する。
【０００９】
そこで、本発明は、上述した課題を解決するためになされたものであり、グループ通話から離脱する旨などのメッセージを伝えることを容易とするとともに、ユーザの利便性を向上することを可能とする移動局を提供することを目的とする。
【課題を解決するための手段】
【００１０】
本発明の一の特徴は、グループ通話に参加可能な移動局（移動局１０）が、前記グループ通話に参加する移動局に対して通話データを送信する権限である送信権が割り当てられていない場合に、マイク（マイク１４ａ）によって収音される音を録音メッセージとして記憶する記憶部（メモリ１９）と、前記グループ通話から離脱する指示を取得した後に、前記送信権の割当て要求を送信する送信部（制御部２０、ベースバンド処理部１７、ＲＦ／ＩＦ変換器１２、パワーアンプ１３、アンテナ１１など）と、を備え、前記送信部が、前記送信権の割当て要求に応じて前記送信権が割り当てられた場合に、前記記憶部に記憶された前記録音メッセージを前記グループ通話に参加する移動局に対して送信することを要旨とする。
【００１１】
かかる特徴によれば、記憶部が、送信権が割り当てられていない場合に、マイクによって収音される音を録音メッセージとして記憶するとともに、送信部が、アプリケーションの表示を終了した後に取得した送信権によって、記憶部に記憶された録音メッセージをグループ通話に対して送信する。すなわち、移動局は、そのユーザに対してアプリケーションが終了したように見せながら、何らユーザの操作を必要とせずにバックグラウンドで録音メッセージをグループ通話に対して送信する。
【００１２】
従って、グループ通話から離脱する旨などのメッセージの送信を容易とするとともに、ユーザの利便性を向上することができる。
【００１４】
本発明の一の特徴は、本発明の上述した特徴において、前記記憶部に符号化して記憶された前記録音メッセージを復号する再生部（再生処理部２５）を移動局がさらに備え、前記送信部が、前記再生部によって復号された前記録音メッセージを送信することを要旨とする。
【発明の効果】
【００１５】
本発明によれば、グループ通話から離脱する旨などのメッセージを伝えることを容易とするとともに、ユーザの利便性を向上することを可能とする移動局を提供することができる。
【発明を実施するための最良の形態】
【００１６】
［一実施形態］
（通信システムの構成）
以下において、本発明の一実施形態に係る通信システムについて、図面を参照しながら説明する。図１は、本発明の一実施形態に係る通信システムの構成を示す図である。
【００１７】
図１に示すように、通信システムは、基地局３０を含む回線交換ＮＷ３００と、基地局４０を含むパケット交換ＮＷ４００と、回線交換ＮＷ３００に接続されたＳＭＳサーバ１００と、パケット交換ＮＷ４００に接続されたグループ通話サーバ２００とを有する。なお、ＳＭＳサーバ１００及びグループ通話サーバ２００は接続されている。
【００１８】
なお、一実施形態では、基地局３０及び基地局４０が別々の基地局であるものとして説明するが、これに限定されるものではない。具体的には、回線交換ＮＷ３００及びパケット交換ＮＷ４００の両方に含まれる一の基地局が基地局３０及び基地局４０が有する機能を併せ持っていてもよい。
【００１９】
複数の移動局１０（移動局１０ａ〜移動局１０ｄ）は、通信システムに接続可能な携帯電話端末である。具体的には、各移動局１０は、回線交換ＮＷ３００に含まれる基地局３０及びパケット交換ＮＷ４００に含まれる基地局４０と接続可能である。
【００２０】
回線交換ＮＷ３００は、回線交換によって通信が行われるネットワーク（例えば、ｃｄｍａ２０００で用いられる１ｘ網）であり、移動局１０が通信を行う際に移動局１０のアドレス登録が必要とされないネットワークである。一方、パケット交換ＮＷ４００は、パケット交換によって通信が行われるネットワーク（例えば、ｃｄｍａ２０００で用いられるＥＶ−ＤＯ（Ｅｖｏｌｕｔｉｏｎ  Ｄａｔａ  Ｏｐｔｉｍｉｚｅｄ）網）であり、移動局１０が通信を行う際に移動局１０のアドレス登録が必要とされるネットワークである。
【００２１】
また、パケット交換ＮＷ４００では、一の移動局１０（発信側移動局）と、一の移動局１０（発信側移動局）によって指定された他の移動局１０（指定移動局）のうち、発信側移動局からの呼び出しに応答した移動局１０とによってグループ通話が開始される。
【００２２】
なお、以下において、発信側移動局と指定移動局とを含むグループを初期グループと称し、発信側移動局が移動局１０ａであり、指定移動局が移動局１０ｂ〜移動局１０ｄであるものとして説明する。
【００２３】
また、一実施形態に係るグループ通話では、グループ通話に参加している移動局１０は、グループ通話に参加していない移動局１０をグループ通話に参加させるために、グループ通話に参加していない移動局１０を呼び出すことが可能である。
【００２４】
ここで、グループ通話とは、音声信号のみを通話データとして送受信するＰＴＴ（Ｐｕｓｈ−Ｔｏ−Ｔａｌｋ）や音声信号及び映像信号を通話データとして送受信するＩＰ−ＴＶを含む。また、グループ通話では、グループ通話に参加する移動局１０のいずれかに、通話データを送信する権利である送信権（発言権）が割り当てられる。
【００２５】
ＳＭＳサーバ１００は、上述したように、回線交換ＮＷ３００に接続されており、グループ通話サーバ２００へのアドレス登録を要求するＳＭＳ（登録要求）を指定移動局に送信する。
【００２６】
グループ通話サーバ２００は、グループ通話を管理するサーバである。具体的には、グループ通話サーバ２００は、グループ通話の開始を要求するＩＮＶＩＴＥ（新規）を発信側移動局から受信すると、ＳＭＳ（登録要求）の送信を要求するＳＭＳ（送信要求）をＳＭＳサーバ１００に送信する。続いて、グループ通話サーバ２００は、グループ通話サーバ２００にアドレスが登録された指定移動局にＩＮＶＩＴＥ（新規）を送信する。また、グループ通話サーバ２００は、ＩＮＶＩＴＥ（新規）に応答した指定移動局と発信側移動局との間で通話データが送受信されるグループ通話を開始する。なお、グループ通話サーバ２００の詳細については後述する（図４を参照）。
【００２７】
（移動局の構成）
以下において、本発明の一実施形態に係る移動局の構成について、図面を参照しながら説明する。図２は、本発明の一実施形態に係る移動局１０の構成を示す図である。なお、移動局１０ａ〜移動局１０ｄは同様の構成を有しているため、以下においては、これらを移動局１０と総称して説明する。
【００２８】
図２に示すように、移動局１０は、アンテナ１１と、ＲＦ／ＩＦ変換器１２と、パワーアンプ１３と、音声入出力部１４と、映像入出力部１５と、コーデック処理部１６と、ベースバンド処理部１７と、操作部１８と、メモリ１９と、制御部２０とを有する。
【００２９】
アンテナ１１は、回線交換ＮＷ３００に含まれる基地局３０によって送信される信号（受信信号）及びパケット交換ＮＷ４００に含まれる基地局４０によって送信される信号（受信信号）を受信する。また、アンテナ１１は、回線交換ＮＷ３００に含まれる基地局３０及びパケット交換ＮＷ４００に含まれる基地局４０に対して信号（送信信号）を送信する。
【００３０】
ＲＦ／ＩＦ変換器１２は、アンテナ１１によって受信された受信信号の周波数（無線周波数（Ｒａｄｉｏ  Ｆｒｅｑｕｅｎｃｙ））をベースバンド処理部１７で扱われる周波数（中間周波数（Ｉｎｔｅｒｍｅｄｉａｔｅ  Ｒｆｅｑｕｅｎｃｙ））に変換する。また、ＲＦ／ＩＦ変換器１２は、ベースバンド処理部１７から取得した送信信号の周波数（中間周波数（ＩＦ））を無線通信で用いられる周波数（無線周波数（ＲＦ））に変換する。なお、ＲＦ／ＩＦ変換器１２は、無線周波数（ＲＦ）に変換された送信信号をパワーアンプ１３に入力する。
【００３１】
パワーアンプ１３は、ＲＦ／ＩＦ変換器１２から取得した送信信号を増幅して、増幅された送信信号をアンテナ１１に入力する。
【００３２】
音声入出力部１４は、音声を集音するマイク１４ａと、音声を出力するスピーカ１４ｂとを有する。マイク１４ａは、集音された音声に基づいて音声信号をコーデック処理部１６に入力し、スピーカ１４ｂは、コーデック処理部１６から取得した音声信号に基づいて音声を出力する。
【００３３】
映像入出力部１５は、被写体を撮像するカメラ１５ａと、文字や映像などを表示する表示部１５ｂとを有する。カメラ１５ａは、撮像された映像（静止画像や動画像）に基づいて映像信号をコーデック処理部１６に入力し、表示部１５ｂは、コーデック処理部１６から取得した映像信号に基づいて映像を表示する。なお、表示部１５ｂは、操作部１８を用いて入力される文字なども表示する。
【００３４】
コーデック処理部１６は、所定の符号化方式（例えば、ＩＴＵ−Ｔで規定されたＧ．７２９）に従って音声信号の符号化及び復号を行う音声コーデック処理部１６ａと、所定の符号化方式（例えば、ＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）−４など）に従って映像信号の符号化及び復号を行う映像コーデック処理部１６ｂとを有する。
【００３５】
音声コーデック処理部１６ａは、音声入出力部１４から取得した音声信号を符号化し、ベースバンド処理部１７から取得した音声信号を復号する。映像コーデック処理部１６ｂは、映像入出力部１５から取得した映像信号を符号化し、ベースバンド処理部１７から取得した映像信号を復号する。
【００３６】
ベースバンド処理部１７は、所定の変調方式（ＢＰＳＫ（Ｂｉｎａｒｙ  Ｐｈａｓｅ  Ｓｈｉｆｔ  Ｋｅｙｉｎｇ）やＱＰＳＫ（Ｑｕａｄｒａｔｕｒｅ  Ｐｈａｓｅ  Ｓｈｉｆｔ  Ｋｅｙｉｎｇ））などに従って送信信号の変調や受信信号の復調を行う。具体的には、ベースバンド処理部１７は、コーデック処理部１６から取得した音声信号や映像信号などのベースバンド信号を変調して、変調されたベースバンド信号（送信信号）をＲＦ／ＩＦ変換器１２に入力する。また、ベースバンド処理部１７は、ＲＦ／ＩＦ変換器１２から取得した受信信号を復調して、復調された受信信号（ベースバンド信号）をコーデック処理部１６に入力する。
【００３７】
ベースバンド処理部１７は、制御部２０によって生成された情報を変調して、変調された情報（送信信号）をＲＦ／ＩＦ変換器１２に入力する。また、ベースバンド処理部１７は、ＲＦ／ＩＦ変換器１２から取得した受信信号を復調して、復調された受信信号を制御部２０に入力する。
【００３８】
操作部１８は、文字や数字などを入力する入力キー、グループ通話を開始するための発呼キー、着信（呼び出し）に応答するための応答キーなどによって構成されたキー群である。また、操作部１８は、各キーが押下されると、押下されたキーに対応する入力信号を制御部２０に入力する。
【００３９】
メモリ１９は、移動局１０の動作を制御するためのプログラム、着信履歴やアドレス帳のような各種データなどを記憶する。なお、メモリ１９は、例えば、不揮発性の半導体メモリであるフラッシュメモリや揮発性の半導体メモリであるＳＲＡＭ（Ｓｔａｔｉｃ  Ｒａｎｄｏｍ  Ａｃｃｅｓｓ  Ｍｅｍｏｒｙ）などによって構成される。
【００４０】
また、メモリ１９は、マイク１４ａによって集音された音声を録音メッセージとして記憶する。なお、録音メッセージは、マイク１４ａによって集音された音声が音声コーデック処理部１６ａによって符号化されたデータである。
【００４１】
制御部２０は、メモリ１９に記憶されたプログラムに従って、移動局１０（映像入出力部１５、コーデック処理部１６、ベースバンド処理部１７など）の動作を制御する。
【００４２】
以下において、本発明の一実施形態に係る制御部の構成について、図面を参照しながら説明する。図３は、本発明の一実施形態に係る制御部２０の構成を示すブロック図である。
【００４３】
図３に示すように、制御部２０は、離脱処理受付部２１と、グループ通話処理部２２と、録音処理部２３と、送信権取得部２４と、再生処理部２５とを有する。
【００４４】
離脱処理受付部２１は、グループ通話から離脱するための離脱処理を受け付ける。具体的には、離脱処理受付部２１は、ユーザが操作部１８によって入力した離脱指示をグループ通話中に受け付けて、受け付けた離脱指示をグループ通話処理部２２に入力する。
【００４５】
グループ通話処理部２２は、グループ通話に係るアプリケーションの起動、実行及び終了を統括的に制御する。具体的には、グループ通話処理部２２は、グループ通話に係るアプリケーションの実行中に離脱処理受付部２１から離脱指示を取得した際に、自局が送信権を保有していない場合には、送信権の取得を送信権取得部２４に指示する。
【００４６】
また、グループ通話処理部２２は、送信権を取得することができなかった場合には、メッセージの録音を録音処理部２３に指示する。
【００４７】
さらに、グループ通話処理部２２は、録音処理部２３によるメッセージの録音処理が終了すると、グループ通話に係るアプリケーションの表示の終了を映像入出力部１５に指示する。このように、グループ通話処理部２２は、グループ通話に係るアプリケーションの表示を終了させることによって、ユーザに対してアプリケーションを終了したように見せる。
【００４８】
一方で、グループ通話処理部２２は、メッセージの録音を録音処理部２３に指示した後に、送信権取得部２４によって送信権が取得された場合には、録音メッセージの再生を送信権取得部２４に指示する。
【００４９】
また、グループ通話処理部２２は、送信権取得部２４による録音メッセージの再生処理が終了すると、グループ通話に係るアプリケーションを終了する。
【００５０】
なお、グループ通話処理部２２は、上述した動作に加えて、グループ通話サーバ２００へのアドレス登録に係る処理、ＳＩＰで必要とされる各種処理を行う。
【００５１】
録音処理部２３は、グループ通話処理部２２の指示に応じて、メッセージの録音処理を行う。具体的には、録音処理部２３は、マイク１４ａによって収音された音声を音声コーデック処理部１６ａに符号化させるとともに、符号化された音声を録音メッセージとしてメモリ１９に記憶する。
【００５２】
送信権取得部２４は、グループ通話処理部２２の指示に応じて、送信権の割り当てを要求する送信権割り当て要求を生成して、生成した送信権割り当て要求をベースバンド処理部１７に入力する。なお、送信権割り当て要求は、ベースバンド処理部１７、ＲＦ／ＩＦ変換器１２、パワーアンプ１３及びアンテナ１１を介して、グループ通話サーバ２００に送信される。また、送信権割当て要求は、送信権を取得することができるまで、所定の周期（例えば、５秒毎）で繰り返して送信される。
【００５３】
再生処理部２５は、グループ通話処理部２２の指示に応じて、録音メッセージの再生処理を行う。具体的には、再生処理部２５は、メモリ１９に記憶された録音メッセージを音声コーデック処理部１６ａに復号させて、復号された録音メッセージを再生する。なお、再生処理部２５によって再生された録音メッセージは、ベースバンド処理部１７、ＲＦ／ＩＦ変換器１２、パワーアンプ１３及びアンテナ１１を介して、グループ通話サーバ２００に送信される。
【００５４】
また、再生処理部２５は、録音処理部２３による録音処理の途中で、送信権取得部２４によって送信権が取得された場合には、メモリ１９に記憶されたデータから順に録音メッセージを再生する。すなわち、録音メッセージは、録音処理部２３による録音処理の途中であっても、再生処理部２５によって再生されたデータから順にグループ通話サーバ２００に送信される。
【００５５】
（グループ通話サーバの構成）
以下において、本発明の一実施形態に係るグループ通話サーバの構成について、図面を参照しながら説明する。図４は、本発明の一実施形態に係るグループ通話サーバ２００を示すブロック図である。
【００５６】
図４に示すように、グループ通話サーバ２００は、送受信部（移動局側）２１０と、グループ通話管理ＤＢ２２０と、グループ通話処理部２３０と、送受信部（サーバ側）２４０とを有する。
【００５７】
送受信部（移動局側）２１０は、ＳＩＰで規定された各種メッセージ（例えば、ＩＮＶＩＴＥ（新規）、ＩＮＦＯ（参加者通知）、１００Ｔｒｙｉｎｇ、１８０Ｒｉｎｇｉｎｇ、２００ＯＫ、ＡＣＫ、ＢＹＥ）を送受信する。なお、送受信部（移動局側）２１０は、パケット交換ＮＷ４００を通じて、これらの各種メッセージを移動局１０と送受信する。また、送受信部（移動局側）２１０は、送信権が割り当てられた移動局１０から通話データを受信して、送信権が割り当てられていない他の移動局１０に通話データを送信する。
【００５８】
送受信部（移動局側）２１０は、送信権の割当てを要求する送信権割当て要求を移動局１０から受信する。また、送受信部（移動局側）２１０は、送信権が移動局１０に割り当てられた場合には、送信権が割り当てられたことを示す送信権割当て通知をその移動局１０に送信する。
【００５９】
グループ通話管理ＤＢ２２０は、グループ通話を管理するための情報を記憶するデータベースである。具体的には、グループ通話管理ＤＢ２２０は、図５に示すように、移動局１０を特定する情報（移動局識別子欄）と、移動局１０が初期グループに含まれているか否かを示す情報（初期グループ欄）と、移動局１０がグループ通話に参加しているか否かを示す情報（参加メンバー欄）と、送信権が割り当てられている移動局１０を特定する情報（送信権欄）とを記憶している。
【００６０】
ここで、移動局識別子欄の情報は、移動局１０を特定可能な情報であればよく、移動局１０の識別子、移動局１０の電話番号、移動局１０のＳＩＰアドレス、移動局１０のユーザ名などである。
【００６１】
初期グループ欄には、移動局１０が初期グループに含まれる場合に「○」が記憶され、移動局１０が初期グループに含まれない場合に「×」が記憶される。なお、上述したように、初期グループに含まれない移動局１０であっても、グループ通話に参加している移動局１０から呼び出されれば、グループ通話に途中参加することが可能である。
【００６２】
参加メンバー欄には、移動局１０が現在グループ通話に参加している場合に「○」が記憶され、移動局１０がグループ通話に参加していない場合に「×」が記憶される。
【００６３】
送信権欄には、移動局１０に送信権が割り当てられている場合に「○」が記憶され、移動局１０に送信権が割り当てられていない場合に「×」が記憶される。
【００６４】
グループ通話処理部２３０は、グループ通話を管理する。例えば、グループ通話処理部２３０は、発信側移動局からＩＮＶＩＴＥ（新規）を受信した場合には、ＳＭＳ（登録要求）の送信要求の送信を送受信部（サーバ側）２４０に指示する。
【００６５】
グループ通話処理部２３０は、送信権の割当てを要求する送信権割当て要求を移動局１０から受信した場合に、送信権が他の移動局１０に既に割り当てられているか否かに応じて、送信権割当て要求を送信した移動局１０に送信権を割り当てる。すなわち、グループ通話処理部２３０は、送信権が他の移動局１０に割り当てられていない場合に、送信権割当て要求を送信した移動局１０に送信権を割り当てる。
【００６６】
続いて、グループ通話処理部２３０は、送信権が割り当てられたことを示す送信権割当て通知の送信を送受信部（移動局側）２１０に指示する。なお、送受信部（移動局側）２１０は、送信権が割り当てられた移動局１０に対して送信権割当て通知を送信する。
【００６７】
なお、送信権が有効化される時間は、通話データを送信可能な時間をユーザに対して十分に与え、かつ、通話データを送信する機会を各ユーザに平等に配分するという観点から、送信権制限時間（例えば、３０秒）内に限られる。すなわち、送信権は、送信権制限時間が経過すると、他のユーザに対して自動的に開放される。
【００６８】
送受信部（サーバ側）２４０は、グループ通話処理部２３０の指示に応じて、ＳＭＳ（登録要求）の送信要求ＳＭＳサーバ１００に送信する。
【００６９】
（通信システムの動作）
以下において、本発明の一実施形態に係る通信システムの動作について、図面を参照しながら説明する。図６及び図７は、本発明の一実施形態に係る通信システムの動作を示すシーケンス図である。なお、図６及び図７では、上述したように、発信側移動局が移動局１０ａであり、指定移動局が移動局１０ｂ〜移動局１０ｄであるものとして説明する。また、図６及び図７では、ＳＩＰで規定された各種処理の一部（例えば、ＩＮＦＯ（参加者通知）、１００Ｔｒｙｉｎｇ、１８０Ｒｉｎｇｉｎｇ、２００ＯＫ、ＡＣＫ、ＢＹＥなどの送受信）については省略されている点に留意すべきである。
【００７０】
図６に示すように、ステップ１０において、移動局１０ａは、グループ通話サーバ２００にアドレス登録（ログイン）を行う。
【００７１】
ステップ１１において、移動局１０ａは、グループ通話を開始するために、ＩＮＶＩＴＥ（新規）をグループ通話サーバ２００に送信する。なお、ＩＮＶＩＴＥ（新規）は、指定移動局（移動局１０ｂ〜移動局１０ｄ）を識別する識別子を含む。
【００７２】
ステップ１２において、グループ通話サーバ２００は、指定移動局に対するＳＭＳ（登録要求）の送信要求をＳＭＳサーバ１００に送信する。
【００７３】
ステップ１３ｂ〜ステップ１３ｄにおいて、ＳＭＳサーバ１００は、各指定移動局にＳＭＳ（登録要求）を送信する。
【００７４】
ステップ１４ｂ〜ステップ１４ｄにおいて、各指定移動局は、グループ通話サーバ２００にアドレス登録（ログイン）を行う。
【００７５】
ステップ１５ｂ〜ステップ１５ｄにおいて、グループ通話サーバ２００は、各指定移動局を呼び出すためのＩＮＶＩＴＥ（新規）を各指定移動局に送信する。
【００７６】
ステップ１６ｂ〜ステップ１６ｄにおいて、移動局１０ｂ〜移動局１０ｄは、ＩＮＶＩＴＥ（新規）に応答する。
【００７７】
ステップ１７において、移動局１０ａ〜移動局１０ｄを参加メンバーとするグループ通話が開始する。
【００７８】
続いて、図７に示すように、ステップ２０において、移動局１０ａ〜移動局１０ｄを参加メンバーとするグループ通話が継続している。なお、送信権は、移動局１０ｄ以外の他の移動局１０（移動局１０ａ）に割り当てられている。
【００７９】
ステップ２１において、移動局１０ｄは、操作部１８に対するユーザの操作に応じて、グループ通話から離脱する離脱処理を受け付ける。
【００８０】
ステップ２２において、移動局１０ｄは、送信権の割り当てを要求する送信権割り当て要求をグループ通話サーバ２００に送信する。
【００８１】
ステップ２３において、グループ通話サーバ２００は、移動局１０ｄ以外の他の移動局１０（移動局１０ａ）に送信権が既に割当てられているため、送信権の割当てが不可であることを示す送信権割当て不可通知を移動局１０ｄに送信する。
【００８２】
ステップ２４において、移動局１０ｄは録音処理を行う。具体的には、移動局１０ｄは、マイク１４ａによって収音された音声を音声コーデック処理部１６ａに符号化させるとともに、符号化された音声を録音メッセージとしてメモリ１９に記憶する。
【００８３】
ステップ２５において、移動局１０ｄは、グループ通話に係るアプリケーションの表示を終了する。
【００８４】
ステップ２６において、移動局１０ｄは、送信権の割り当てを要求する送信権割り当て要求をグループ通話サーバ２００に送信する。なお、以下において、移動局１０ｄ以外の他の移動局１０（移動局１０ａ）に割当てられた送信権は、例えば、送信権制限時間が経過することによって開放されているものとする（ステップ３４）。
【００８５】
ステップ２７において、グループ通話サーバ２００は、送信権が開放されているため、移動局１０ｄに送信権を割当てるとともに、送信権を割当てたことを示す送信権割当て通知を移動局１０ｄに送信する。
【００８６】
ステップ２８において、移動局１０ｄは再生処理を行う。具体的には、移動局１０ｄは、メモリ１９に記憶された録音メッセージを音声コーデック処理部１６ａに復号させて、復号された録音メッセージを再生する。
【００８７】
ステップ２９において、移動局１０ｄは、ステップ２９で再生された録音メッセージをグループ通話に対して送信する。すなわち、移動局１０ｄは、移動局１０ａ〜移動局１０ｃに対して録音メッセージを通話データとして送信する。
【００８８】
ステップ３０において、移動局１０ｄは、グループ通話サーバ２００へのアドレス登録を解除する。
【００８９】
ステップ３１において、移動局１０ｄは、グループ通話に係るアプリケーションを終了する。
【００９０】
ステップ３２ａ〜ステップ３２ｃにおいて、グループ通話サーバ２００は、グループ通話の参加メンバーが更新されたことを示す（ＩＮＦＯ（参加者更新通知））を移動局１０ａ〜移動局１０ｃに送信する。
【００９１】
ステップ３３において、移動局１０ａ〜移動局１０ｃを参加メンバーとするグループ通話が継続される。
【００９２】
（作用及び効果）
本発明の一実施形態に係る移動局１０によれば、メモリ１９が、送信権が割り当てられていない場合に、マイク１４ａによって収音される音を録音メッセージとして記憶し、送信権取得部２４が、アプリケーションの表示を終了した後に送信権を取得する。また、グループ通話処理部２２は、送信権取得部２４によって送信権が取得された場合に、メモリ１９に記憶された録音メッセージをグループ通話に対して送信する。すなわち、移動局１０は、そのユーザに対してアプリケーションが終了したように見せながら、何らユーザの操作を必要とせずにバックグラウンドで録音メッセージをグループ通話に対して送信する。
【００９３】
従って、グループ通話から離脱する旨などのメッセージの送信を容易とするとともに、ユーザの利便性を向上することができる。
【００９４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９５】
例えば、上述した実施形態では、ＳＭＳサーバ１００とグループ通話サーバ２００とが別々なサーバであるものとして説明したが、これに限定されるものではない。具体的には、回線交換ＮＷ３００及びパケット交換ＮＷ４００の両方に接続された一のネットワークサーバが、ＳＭＳサーバ１００の機能及びグループ通話サーバ２００の機能を併せ持っていてもよい。
【００９６】
また、上述した実施形態では、移動局１０は、メモリ１９に記憶された録音メッセージを音声コーデック処理部１６ａに復号させて、復号された録音メッセージを再生するとともに、再生された録音メッセージをグループ通話サーバ２００に送信するが、これに限定されるものではない。具体的には、移動局１０は、メモリ１９に記憶された録音メッセージを復号せずにグループ通話サーバ２００に送信してもよい。
【００９７】
さらに、上述した実施形態では、移動局１０は、マイク１４ａによって収音された音声を音声コーデック処理部１６ａに符号化させて、符号化された音声を録音メッセージとしてメモリ１９に記憶するが、これに限定されるものではない。具体的には、移動局１０は、マイク１４ａによって収音された音声を符号化せずに録音メッセージとしてメモリ１９に記憶してもよい。
【００９８】
この場合において、移動局１０は、メモリ１９に記憶された録音メッセージを音声コーデック処理部１６ａに符号化させて、符号化された録音メッセージをグループ通話サーバ２００に送信してもよい。
【００９９】
また、上述した実施形態において、移動局１０は、操作部１８によって離脱指示が入力されて送信権割当て要求を送信する前に、メッセージを残すかどうかについてユーザに確認して、ユーザからの指示に基づいて、メッセージの録音及び送信に係る処理を行うか否かを決定してもよい。
【図面の簡単な説明】
【０１００】
【図１】本発明の一実施形態に係る通信システムの構成を示す図である。
【図２】本発明の一実施形態に係る移動局１０の構成を示すブロック図である。
【図３】本発明の一実施形態に係る制御部２０の構成を示すブロック図である。
【図４】本発明の一実施形態に係るグループ通話サーバ２００の構成を示すブロック図である。
【図５】本発明の一実施形態に係るグループ通話管理ＤＢ２２０に記憶された情報を示す図である。
【図６】本発明の一実施形態に係る通信システムの動作を示すシーケンス図である（その１）。
【図７】本発明の一実施形態に係る通信システムの動作を示すシーケンス図である（その２）。
【符号の説明】
【０１０１】
１０・・・移動局、１１・・・アンテナ、１２・・・ＲＦ／ＩＦ変換器、１３・・・パワーアンプ、１４・・・音声入出力部、１４ａ・・・マイク、１４ｂ・・・スピーカ、１５・・・映像入出力部、１５ａ・・・カメラ、１５ｂ・・・表示部、１６・・・コーデック処理部、１６ａ・・・音声コーデック処理部、１６ｂ・・・映像コーデック処理部、１７・・・ベースバンド処理部、１８・・・操作部、１９・・・メモリ、２０・・・制御部、２１・・・離脱処理受付部、２２・・・グループ通話処理部、２３・・・録音処理部、２４・・・送信権取得部、２５・・・再生処理部、３０・・・基地局、４０・・・基地局、１００・・・ＳＭＳサーバ、２００・・・グループ通話サーバ、２１０・・・送受信部（移動局側）、グループ通話管理ＤＢ２２０、グループ通話処理部２３０、送受信部（サーバ側）２４０、３００・・・回線交換ＮＷ、４００・・・パケット交換ＮＷ
【図１】
0004778838.tif 000002
【図２】
0004778838.tif 000003
【図３】
0004778838.tif 000004
【図４】
0004778838.tif 000005
【図５】
0004778838.tif 000006
【図６】
0004778838.tif 000007
【図７】
0004778838.tif 000008